(57)【要約】【課題】静音性に優れたダイヤフラムポンプを提供することである。【解決手段】ダイヤフラムポンプ本体１０と、該ダイヤフラムポンプ本体１０を密閉させた状態で収容するハウジング１２と、前記ダイヤフラムポンプ本体１０を前記ハウジング１２内で支持する支持部材１４と、を備えたダイヤフラムポンプであって、前記支持部材１４は、柔軟性を有する素材から構成されており、前記ダイヤフラムポンプ本体１０は、前記ハウジング１２内の余剰スペースに排気するように構成されており、前記ハウジング１２には、排気孔３０が形成されていることを特徴とする。【選択図】図１
2005113723.tif 000002
【特許請求の範囲】
【請求項１】
ダイヤフラムポンプ本体と、該ダイヤフラムポンプ本体を密閉させた状態で収容するハウジングと、前記ダイヤフラムポンプ本体を前記ハウジング内で支持する支持部材と、を備えたダイヤフラムポンプであって、前記支持部材は、柔軟性を有する素材から構成されており、前記ダイヤフラムポンプ本体は、前記ハウジング内の余剰スペースに排気するように構成されており、前記ハウジングには、排気孔が形成されていることを特徴とするダイヤフラムポンプ。
【請求項２】
前記排気孔が前記ハウジングの底面に形成されていることを特徴とする請求項１記載のダイヤフラムポンプ。
【請求項３】
前記ハウジングには、前記ダイヤフラムポンプ本体内に吸気させる空気を吸気する吸気口が形成されており、該吸気口と前記ダイヤフラムポンプ本体は、柔軟性を有するパイプによって接続されていることを特徴とする請求項１又は２記載のダイヤフラムポンプ。
【請求項４】
前記支持部材を構成する素材は、さらに吸音性を有することを特徴とする請求項１乃至３いずれか記載のダイヤフラムポンプ。
【発明の詳細な説明】
【技術分野】
【０００１】
本発明は、ダイヤフラムポンプに係り、特に静音性に優れたダイヤフラムポンプに関する。
【背景技術】
【０００２】
従来のダイヤフラムポンプ７０は、図４に示すようにダイヤフラム７２が張設され、吸気弁７４と排気弁７６を備えたポンプ室７８と、吸気弁７４からポンプ室７８内に空気を吸引させる吸気工程とポンプ室７８内の空気を排気弁７６から排出させる排気工程を繰り返させるようにダイヤフラム７２を振動させるダイヤフラム振動部８０と、これらポンプ室７８及びダイヤフラム振動部８０を収容するハウジング８１と、を備えている。このハウジング８１には、吸気弁７４に供給する空気を直接吸引可能な吸気口８２と、排気弁７６から排出される空気を直接排出可能な排気口８４と、が形成されている。ダイヤフラム振動部８０は、モータ８６と、モータ８６の回転軸に設けられ一体となって回転する偏心カム９０と、基端部９２Ａがベアリング９４を介して偏心カム９０に対して回転可能に支持され、先端部９２Ｂがダイヤフラム７２に結合しているドライブシャフト９２と、を備えている（特許文献１参照）。
【０００３】
この従来のダイヤフラムポンプ７０は、モータ８６が回転すると偏心カム９０の回転を介してドライブシャフト９２が上下方向に反復運動し、ダイヤフラム７２を上下に振動させる。ダイヤフラム７２が下方に移動すると、ポンプ室７８内が陰圧状態となるので、吸気弁７４が開き、吸気口８２からポンプ室７８内に空気が供給される。一方、ダイヤフラム７２が上方に移動すると、ポンプ室７８内が陽圧状態となるので、排気弁７６が開き、ポンプ室７８内の空気が排気口８４から排出される。このようにダイヤフラム７２を振動させることにより、吸気と排気を繰り返すように構成されている。
【０００４】
【特許文献１】特開平５−１２６０５１号
【発明の開示】
【発明が解決しようとする課題】
【０００５】
しかしながら、従来のダイヤフラムポンプ７０は、ダイヤフラム７２などが直接ハウジング８１に設置されているため、ハウジング８１にダイヤフラム７２の振動が伝わり、騒音が発生する。また、ダイヤフラム７２の排気弁７６がハウジング８１に形成された排気口８２に直接空気を排出するように構成されているため、排気音が外部に放出され、騒音を生じさせる。このように従来のダイヤフラムポンプは、騒音を生じさせるため、夜間での使用が困難であり、夜間に使用する場合、防音ケースなどを必要とする。
【０００６】
そこで、本発明は、静音性に優れたダイヤフラムポンプを提供することを目的とする。
【課題を解決するための手段】
【０００７】
以上の目的を達成するため、本発明は、ダイヤフラムポンプ本体と、該ダイヤフラムポンプ本体を密閉させた状態で収容するハウジングと、前記ダイヤフラムポンプ本体を前記ハウジング内で支持する支持部材と、を備えたダイヤフラムポンプであって、前記支持部材は、柔軟性を有する素材から構成されており、前記ダイヤフラムポンプ本体は、前記ハウジング内の余剰スペースに排気するように構成されており、前記ハウジングには、排気孔が形成されていることを特徴とする。
【０００８】
以上のように本発明に係るダイヤフラムポンプによれば、先ず、ダイヤフラムポンプ本体を密閉させた状態でハウジングに収容しているので、ダイヤフラムポンプ本体から生じうる騒音が外部に漏れるのを可及的に防止することができる。また、ダイヤフラムポンプ本体を柔軟性を有する素材から構成された支持部材によってハウジングに対して支持させたので、ダイヤフラムポンプ本体から生じる振動は、支持部材に吸収されハウジングに伝わらないので、騒音が生じるのを可及的に防止できる。さらに、ダイヤフラムポンプ本体は、ハウジング内の余剰スペースに排気し、排気された空気は、ハウジング内の余剰スペースを循環した後、ハウジングに形成された排気孔から大気に放出されるので、排気音が外部に伝わることはなく、騒音を可及的に防止することができる。
【０００９】
本発明に係るダイヤフラムポンプにおいて、前記排気孔は、前記ハウジングの底面に形成されていることが好ましく、このように底面に排気孔を形成することにより、ハウジングから排気された空気は、地面に当たり、排気音は、さらに打ち消される。
【００１０】
また、本発明に係るダイヤフラムポンプにおいて、前記ハウジングには、前記ダイヤフラムポンプ本体内に吸気させる空気を吸気する吸気口が形成されており、該吸気口と前記ダイヤフラムポンプ本体は、柔軟性を有するパイプによって接続されていることが好ましく、このように構成することにより、ダイヤフラムポンプ本体から生じる振動がハウジングに形成された吸気口に伝わることはなく、騒音が生じるのをさらに防止できる。
【００１１】
さらに、本発明に係るダイヤフラムポンプにおいて、前記支持部材を構成する素材は、さらに吸音性を有することが好ましく、このように吸音性を備えることによって、ダイヤフラムポンプ本体から排気された空気がハウジング内の余剰スペースを循環する際に生じる騒音を吸収することができる。
【発明の効果】
【００１２】
以上のように、本発明に係るダイヤフラムポンプによれば、静音性に優れたダイヤフラムポンプを提供することができる。
【発明を実施するための最良の形態】
【００１３】
次に、本発明に係るダイヤフラムポンプの実施例について図面に基づいて説明する。図1は、本実施例に係るダイヤフラムポンプの正面断面概念図である。本実施例に係るダイヤフラムポンプは、ダイヤフラムポンプ本体１０と、ダイヤフラムポンプ本体１０を密閉された状態で収容するハウジング１２と、ダイヤフラムポンプ本体１０をハウジング内で支持する支持部材１４と、を備えている。
【００１４】
ダイヤフラムポンプ本体１０は、対向する一対のダイヤフラム１６Ａ、１６Ｂが張設され、それぞれに吸気弁１８Ａ、１８Ｂと排気弁２０Ａ、２０Ｂを備えた一対のポンプ室２２Ａ、２２Ｂと、吸気弁１８Ａ、１８Ｂからポンプ室２２Ａ、２２Ｂ内に空気を吸引させる吸気工程と室２２Ａ、２２Ｂ内の空気を排気弁２０Ａ、２０Ｂから排出させる排気工程を繰り返させるようにダイヤフラム１６を振動させるダイヤフラム振動部２４と、吸気弁１８Ａ、１８Ｂに連通する吸気連通室２６と、排気弁２０Ａ、２０Ｂに連通する排気連通室２８と、を備えている。排気連通室２８には、排気弁２０Ａ、２０Ｂから排気された空気をハウジング１２内の余剰スペース３１に排気可能な排気口２８Ａが形成されている。
【００１５】
ダイヤフラム振動部２４は、対向する一対のダイヤフラム１６Ａ、１６Ｂそれぞれに接続され、往復運動を行うことによってダイヤフラム１６Ａ、１６Ｂそれぞれに振動を与えるドライブシャフト３３と、ドライブシャフト３３に偏心カムなどを介して往復運動を与えるモータ（図示省略）と、を備えている。
【００１６】
ハウジング１２の底面の中央には、ハウジング１２内部と大気を連通する排気孔３０が形成されており、ハウジング１２の上面には、吸気弁１８Ａ、１８Ｂから吸気される空気をハウジング１２内に吸気可能な吸気ノズル３２が設けられている。吸気ノズル３２の基端側３２Ａ、すなわちハウジング１２内側は、シリコンなど柔軟性を有する素材で構成されているチューブ３４を介して吸気連通室２８に連通する吸気管３６に接続されている。また、吸気ノズル３２には、フィルタ３８が設けられており、これにより塵埃などポンプ室２２Ａ、２２Ｂなどに混入するのを防止することができる。また、ハウジング１２は、防音性に優れたアルミケースで構成して、排気孔３０以外は、完全に密閉されている。例えば、ハウジング１２の左側壁１２Ａを開閉可能な蓋部材として構成した場合、その蓋部材１２Ａには、ゴムシート（図示省略）を介在させて、完全な密閉状態を作っている。
【００１７】
支持部材１４は、スポンジなど柔軟性かつ吸音性を有する素材から構成されており、ダイヤフラムポンプ本体１０とハウジング１２の間に介在して、ダイヤフラムポンプ本体１０をハウジング１２に対して支持するように構成されている。
【００１８】
本実施例に係るダイヤフラムポンプの動作について説明する。先ず、モータを駆動させてドライブシャフト３３を図1の左方向に移動させると、ダイヤフラム１６Ａ、１６ｂが共に左側に移動し、ポンプ室２２Ａ内は、陽圧状態となり、ポンプ室２２Ｂは、陰圧状態となる。よって、ポンプ室２２Ａにおいては、吸気弁１８Ａが閉じて、排気弁２０Ａが開くので、ポンプ室２２Ａ内の空気が排気連通室２８に排出される。排気連通室２８に排出された空気は、排気口２８Ａからハウジング１２内の余剰スペース３１に排出され、余剰スペース３１を循環した後、排気孔３０から大気に放出される。一方、ポンプ室２２Ｂにおいては、吸気弁１８Ｂが開き、排気弁２０Ｂが閉じるので、吸気連通室２６からポンプ室２２Ｂ内に空気が吸引される。次いで、吸気連通室２６が陰圧状態となるため、吸気ノズル３２、チューブ３４及び吸気管３６を解して外気が吸気連通室２６内に吸引される。
【００１９】
次に、モータを駆動させてドライブシャフト３３を図２に示すように右方向に移動させると、ダイヤフラム１６Ａ、１６ｂが共に右側に移動し、ポンプ室２２Ａ内は、陰圧状態となり、ポンプ室２２Ｂは、陽圧状態となり、ポンプ室２２Ａは、吸引を行い、ポンプ室２２Ｂは、排気を行う。このようにダイヤフラム１６Ａ、１６ｂを振動させることにより、吸気と排気を繰り返すことができる。
【００２０】
本実施例に係るダイヤフラムポンプは、以下のような作用により消音性に優れている。先ず、ハウジング１２を密閉されたアルミケースで構成したので、ダイヤフラムポンプ本体１０から生じうる騒音が外部に漏れるのを可及的に防止することができる。次に、ダイヤフラムポンプ本体１０を柔軟性かつ吸音性を有する素材から構成された支持部材１４によってハウジング１２に対して支持させたので、ダイヤフラムポンプ本体１０から生じる騒音は、支持部材１４に吸音され、またそれから生じる振動も支持部材１４に吸収されハウジング１２に伝わらないので、騒音が生じるのを可及的に防止できる。また、排気弁２０Ａ、２０Ｂから排気される空気は、排気連通室２８を介してハウジング１２の余剰スペース３１に流出され、余剰スペース３１内を循環した後、排気孔３０から大気に放出されるので、排気音が外部に伝わることはなく、騒音を可及的に防止することができる。さらに、吸気ノズル３２の基端側３２Ａと吸気管３６は、シリコンなど柔軟性を有する素材で構成されたチューブ３４を介して接続されているので、ダイヤフラムポンプ本体１０から生じる振動が吸気ノズル３２に伝わることはなく、騒音が生じるのを可及的に防止できる。
【００２１】
次に、本実施例に係るダイヤフラムポンプについて静音性の試験を行った。比較例１に係るダイヤフラムポンプ（ＭＰ−Σ３００、柴田科学株式会社製）及び比較例２に係るダイヤフラムポンプ（ＭＰ―Σ３、柴田科学株式会社製）を用意した。先ず、無響室（暗騒音レベル１７ｄＢ）内に試験を行うダイヤフラムポンプを設置し、そのダイヤフラムポンプの中心に向けられた騒音計をダイヤフラムポンプから３０ｃｍ離れた位置に設置した。この騒音計は、マイクロホン（ＭＩ−１２３３）、プリアンプ（ＭＩ−３１００）、マルチチャンネルデータステーション（ＤＳ―２１００）及び測定ソフト（音響パワーレベルＤＳ−０２３１）で構成されている（いずれも（株）小野測器製）。次に、ダイヤフラムポンプを吸引流量１．５Ｌ／ｍｉｎで稼動させ、その際の周波数毎の音圧レベル（ｄＢ）を測定した。無響室内を無人にして、周波数毎の音圧レベルは、無響室の外に設置されたパソコンで読み取った。また、暗騒音、すなわちダイヤフラムポンプを稼動させていない無響室内での音についても同様に周波数毎の音圧レベル（ｄＢ）の測定を行った。その結果を図１に示す。図１に示すように本実施例に係るダイヤフラムポンプが静音性に優れていることが分る。
【図面の簡単な説明】
【００２２】
【図１】本発明に係るダイヤフラムポンプの実施例の正面断面概略図である。
【図２】本実施例に係るダイヤフラムポンプの動作を示す図１に対応する図である。
【図３】本実施例に係るダイヤフラムポンプと比較例１及び２に係るダイヤフラムポンプの周波数毎の音圧レベル（ｄＢ）の測定結果を示すグラフである。
【図４】従来のダイヤフラムポンプの一部切欠断面図である。
【符号の説明】
【００２３】
１０   ダイヤフラムポンプ本体
１２   ハウジング
１４   支持部材
３０   排気孔
【図１】
2005113723.tif 000003
【図２】
2005113723.tif 000004
【図３】
2005113723.tif 000005
【図４】
2005113723.tif 000006